(57)【特許請求の範囲】
【請求項１】
窓枠内に組み込まれた障子を室内外方向へ開閉することができる窓に用いられる、前記障子を前記窓枠に施錠するロック装置であって、
前記窓枠の縦枠又は横枠に沿って上下又は左右方向に移動可能に支持され、前記窓枠の屋内側に取り付けられたロック操作部材により操作されて移動する連動部材と、
該連動部材に取り付けられた鈎状掛止片と、
該鈎状掛止片により前記障子の閉状態で掛止される、前記障子の縦框又は横框に取り付けられた掛止ピンと、
前記鈎状掛止片に対して、前記ロック操作部材の施錠方向の操作に伴って前記連動部材が移動する方向に位置するように、前記縦枠又は横枠に取り付けられたトリガー受けと、
該トリガー受けの受部により当止される当止部及び前記掛止ピンに当接する当接部が形成されるとともに、前記連動部材により左右方向軸又は上下方向軸まわりに揺動可能に支持され、前記障子の開状態では前記当止部が前記受部に対向する位置となるように弾性付勢され、前記開状態から前記障子を閉じる際には前記掛止ピンにより前記当接部が押圧され、前記弾性付勢力に抗して前記左右方向軸又は上下方向軸まわりに揺動するため、前記障子の閉状態では前記ロック操作部材の施錠方向の操作に伴って前記連動部材が移動する際に前記当止部が前記受部により当止されないトリガーと、
を備えたことを特徴とする窓用ロック装置。
【請求項２】
前記連動部材に室内外方向の長孔を形成し、取付ねじを、前記鈎状掛止片の基体部に形成した通孔及び前記長孔に挿通し、前記連動部材の前記窓枠側に配設した裏板の螺孔に螺合させることにより、前記鈎状掛止片を前記連動部材に取り付けてなる請求項１記載の窓用ロック装置。
【請求項３】
前記連動部材の上下又は左右端に取り付けられたガイド体を前記窓枠の縦枠又は横枠に形成したガイド溝に係合させることにより、前記連動部材を前記縦枠又は横枠に沿って上下又は左右方向に移動可能に支持してなる請求項１又は２記載の窓用ロック装置。
【発明の詳細な説明】
【技術分野】
【０００１】
本発明は、窓枠内に組み込まれた障子を室内外方向へ開閉することができる窓に用いられるロック装置に関わり、更に詳しくは、障子の開状態においてロック装置の誤操作を防止することができる窓用ロック装置の改良に関するものである。
【０００２】
縦すべり出し窓、横すべり出し窓、片開き窓又は突出し窓等のような窓枠内に組み込まれた障子を室内外方向へ開閉することができる窓に用いられるロック装置として、障子の開状態ではロック操作をできないようにする誤操作防止手段を備えるものがある（例えば、特許文献１〜３参照。）。
特許文献１のロック装置における誤操作防止手段は、障子の開放側縁部に係合部材を設け、フックが取り付けられ、ロック操作部材により操作されて上下に移動する移動部材を窓枠に設け、係合部材と対応して窓枠に設けられたカムに揺動可能にストッパーを取り付け、障子の開状態では、移動部材に形成した切り欠きにストッパーの板状突出部を係合させることにより移動部材の移動を阻止するものである。
また、特許文献２のロック装置における誤操作防止手段は、障子の開放端側に係合溝を有する係合枠を設け、係合ピンを有し、操作部材により操作されて上下に移動する連動板を窓枠に設け、ストッパーを窓枠により揺動可能に支持し、障子の開状態では、連動板の係合ピンにストッパーを係合させることにより連動板の移動を阻止するものである。
さらに、特許文献３のロック装置における誤操作防止手段は、障子の自由側端縁に係止ローラーを設け、操作レバーにより操作されるカマを上下方向に移動可能に案内するとともにトリガーを揺動可能に支承するケースを窓枠に取り付け、障子の開状態では、トリガーの端部によりカマに形成した係止突部を当止することによりカマの移動を阻止するものである。
以上のような従来の誤操作防止手段を備えた窓用ロック装置は、障子の開状態では誤操作防止手段が作用状態となり、障子の閉状態では誤操作防止手段が非作用状態となるため、障子の開状態ではロック装置の誤操作が防止され、障子の閉状態ではロック装置により施錠することができる。
【０００３】
【特許文献１】特許第３７７７４６０号公報（図２−４）
【特許文献２】特開２００６−２２５１５号公報（図１−２）
【特許文献３】特開２００１−８２０２１号公報（図２）
【発明の開示】
【発明が解決しようとする課題】
【０００４】
特許文献１の窓用ロック装置は、フックが揺動しつつ傾斜部によって障子を引き込む構成により障子の引き寄せ距離が大きくなる等の特徴がある反面、障子の係合部材と対応するカム、移動部材に揺動自在に取り付けられて係合部材及びカムと組をなすフック並びにフックに固定されたカムフォロワ等により施錠機構が構成されることから、構造が比較的複雑であり部品点数が多くなるため、コストが増大するとともに施工時の調整作業に手間が掛かる。
また、特許文献２の窓用ロック装置では、連動板を上下方向に移動可能に支持する取付部材を窓枠に取り付ける作業、取付板とは別体のストッパー本体を窓枠に取り付ける作業、連動板に取り付けた係合ピンとストッパーの係合面との係合調整作業、障子に取り付けた係合枠に形成した係合溝と連動板に取り付けた係合ピンとの掛かり具合の調整作業等が必要になるため、施工作業に手間が掛かる。
さらに、特許文献３の窓用ロック装置では、カマに形成した上下の案内長孔にケースに貫設された上下の案内ピンを摺動させることによりカマをケースに対して上下方向に移動可能に案内するとともに、上方の案内ピンにより操作レバーを支承し、下方の案内ピンによりトリガーを支承する構成であることから、カマの構造及び厚板を折り曲げ成形して裏板をかしめ付けてなる略箱状のケースの構造が比較的複雑であるため、製造コストが増大する。
さらにまた、特許文献１〜３のいずれの構成においても、ロック装置の施錠時における掛かり具合の調整作業を室内側から行うことが困難であるため、施工作業における前記掛かり具合の調整作業に手間が掛かっている。
以上より、従来の誤操作防止手段を備えた窓用ロック装置は、特に施工作業の容易化及びコスト低減化の観点から、改良の余地がある。
【０００５】
そこで本発明が前述の状況に鑑み、解決しようとするところは、誤操作防止手段を備える構成でありながら、施工作業の容易化を図ることができ、コストを低減することができる窓用ロック装置を提供する点にある。
【課題を解決するための手段】
【０００６】
本発明に係る窓用ロック装置は、前記課題解決のために、窓枠内に組み込まれた障子を室内外方向へ開閉することができる窓に用いられる、前記障子を前記窓枠に施錠するロック装置であって、前記窓枠の縦枠又は横枠に沿って上下又は左右方向に移動可能に支持され、前記窓枠の屋内側に取り付けられたロック操作部材により操作されて移動する連動部材と、該連動部材に取り付けられた鈎状掛止片と、該鈎状掛止片により前記障子の閉状態で掛止される、前記障子の縦框又は横框に取り付けられた掛止ピンと、前記鈎状掛止片に対して、前記ロック操作部材の施錠方向の操作に伴って前記連動部材が移動する方向に位置するように、前記縦枠又は横枠に取り付けられたトリガー受けと、該トリガー受けの受部により当止される当止部及び前記掛止ピンに当接する当接部が形成されるとともに、前記連動部材により左右方向軸又は上下方向軸まわりに揺動可能に支持され、前記障子の開状態では前記当止部が前記受部に対向する位置となるように弾性付勢され、前記開状態から前記障子を閉じる際には前記掛止ピンにより前記当接部が押圧され、前記弾性付勢力に抗して前記左右方向軸又は上下方向軸まわりに揺動するため、前記障子の閉状態では前記ロック操作部材の施錠方向の操作に伴って前記連動部材が移動する際に前記当止部が前記受部により当止されないトリガーとを備えたものである。
【０００７】
ここで、前記連動部材に室内外方向の長孔を形成し、取付ねじを、前記鈎状掛止片の基体部に形成した通孔及び前記長孔に挿通し、前記連動部材の前記窓枠側に配設した裏板の螺孔に螺合させることにより、前記鈎状掛止片を前記連動部材に取り付けてなると好ましい。
【０００８】
また、前記連動部材の上下又は左右端に取り付けられたガイド体を前記窓枠の縦枠又は横枠に形成したガイド溝に係合させることにより、前記連動部材を前記縦枠又は横枠に沿って上下又は左右方向に移動可能に支持してなると好ましい。
【発明の効果】
【０００９】
本発明に係る窓用ロック装置によれば、窓枠内に組み込まれた障子を室内外方向へ開閉することができる窓に用いられる、前記障子を前記窓枠に施錠するロック装置であって、前記窓枠の縦枠又は横枠に沿って上下又は左右方向に移動可能に支持され、前記窓枠の屋内側に取り付けられたロック操作部材により操作されて移動する連動部材と、該連動部材に取り付けられた鈎状掛止片と、該鈎状掛止片により前記障子の閉状態で掛止される、前記障子の縦框又は横框に取り付けられた掛止ピンと、前記鈎状掛止片に対して、前記ロック操作部材の施錠方向の操作に伴って前記連動部材が移動する方向に位置するように、前記縦枠又は横枠に取り付けられたトリガー受けと、該トリガー受けの受部により当止される当止部及び前記掛止ピンに当接する当接部が形成されるとともに、前記連動部材により左右方向軸又は上下方向軸まわりに揺動可能に支持され、前記障子の開状態では前記当止部が前記受部に対向する位置となるように弾性付勢され、前記開状態から前記障子を閉じる際には前記掛止ピンにより前記当接部が押圧され、前記弾性付勢力に抗して前記左右方向軸又は上下方向軸まわりに揺動するため、前記障子の閉状態では前記ロック操作部材の施錠方向の操作に伴って前記連動部材が移動する際に前記当止部が前記受部により当止されないトリガーとを備えたので、障子の開状態では、トリガーの当止部がトリガー受けの受部により当止されることから連動部材の移動が阻止されてロック操作部材の施錠方向の移動が阻止されるため、ロック装置の誤操作が防止されるとともに、障子の閉状態では、掛止ピンの押圧によりトリガーが揺動して当止部がトリガー受けの受部により当止されないことからロック操作部材を施錠方向に移動させることができるため、ロック装置により確実に施錠することができる。
そして、障子の閉状態でロック操作部材を解錠方向に移動させて解錠した後に、障子を開状態とすると、トリガーが弾性付勢力により揺動して当止部がトリガー受けの受部に対向する位置に復帰するため、前記のとおりロック装置の誤操作が防止される。
【００１０】
その上、施錠のための鈎状掛止片が取り付けられた連動部材に誤操作防止手段を構成するトリガーも取り付けられており、連動部材と別体にトリガーを取り付ける構成と比較して、トリガーの取付部材が不要になるとともに施工の際におけるトリガーの取り付け作業が不要になる。
その上さらに、窓枠に取り付けるトリガー受けの前後方向位置を調整することにより、トリガーの掛かり具合の調整作業を室内側から容易かつ確実に行うことができる。
よって、部品点数の削減及び施工作業の容易化により、製造コスト及び施工作業コストを低減することができる。
【００１１】
また、前記連動部材に室内外方向の長孔を形成し、取付ねじを、前記鈎状掛止片の基体部に形成した通孔及び前記長孔に挿通し、前記連動部材の前記窓枠側に配設した裏板の螺孔に螺合させることにより、前記鈎状掛止片を前記連動部材に取り付けてなると、前記トリガーの掛かり具合の調整作業と切り離した別の調整作業として、連動部材の位置を変えずに、取付ねじの緊緩により鈎状掛止片の室内外方向の位置を調整することができることから、施工の際における鈎状掛止片と掛止ピンとの掛かり具合の調整作業を室内側から容易かつ確実に行うことができる。
よって、施工作業の容易化により、前記効果に加え、さらに施工作業コストを低減することができる。
【００１２】
さらに、前記連動部材の上下又は左右端に取り付けられたガイド体を前記窓枠の縦枠又は横枠に形成したガイド溝に係合させることにより、前記連動部材を前記縦枠又は横枠に沿って上下又は左右方向に移動可能に支持してなると、窓枠に形成したガイド溝が連動部材を支持することから、連動部材の移動をガイドするガイド部材が不要になるとともに施工の際における前記ガイド部材の取り付け作業が不要になる。
よって、部品点数の削減及び施工作業の容易化により、前記効果に加え、さらに製造コスト及び施工作業コストを低減することができる。
【発明を実施するための最良の形態】
【００１３】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、室内側から室外側へ向かう方向の前側を前、後側を後とし、左右は前方に向かっていうものとし、左方から見た図を正面図とする。
【００１４】
図１〜図６は本発明の実施の形態に係る窓用ロック装置の構成を示す概略図であり、図１及び図２は正面図、図３は横断平面図、図４は連動部材及び連動部材に取り付けられた部材の正面図、図５は斜視図、図６は分解斜視図である。
また、図１（ａ）及び図５（ａ）は障子の開状態を、図１（ｂ）は掛止ピンがトリガーの当接部に当接した状態を、図２（ａ）及び図５（ｂ）は掛止ピンにより当接部が押圧されてトリガーが揺動した状態を、図２（ｂ）及び図５（ｃ）は障子の閉状態を、それぞれ示している。
【００１５】
図１〜図３に示す窓２１は、室内側から操作する図示しないオペレーターにより窓枠２２内に納められた障子２３を前側（室外側）へ開くことができるとともに、開いた障子２３を窓枠２２内へ納めるように閉じることができるものであり、例えば縦すべり出し窓である場合を示している。
窓枠２２は横枠である上枠及び下枠並びに左右の縦枠２２Ｓ，２２Ｓにより、障子２３は横框である上框及び下框並びに左右の縦框２３Ｓ，２３Ｓ及びガラス等により構成されており、上枠と上框との間並びに下枠と下框との間にそれぞれ取り付けられた図示しない上下のステーにより障子２３は窓枠２２により支持され、障子２３の閉状態において、ロック装置１により障子２３は窓枠２２に対して施錠される。
【００１６】
ロック装置１は、右縦枠２２Ｓに沿って上下方向に移動可能に支持され、右縦枠２２Ｓの屋内側に取り付けられたロック操作部材２により操作されて移動する連動部材３、連動部材３に取り付けられた鈎状掛止片７、鈎状掛止片７により障子２３の閉状態で掛止される、障子２３の開閉端である右縦框２３Ｓ（戸先框）に取り付けられた掛止ピン１１、鈎状掛止片７に対して、ロック操作部材２の施錠方向の操作に伴って連動部材３が移動する方向（上方）に位置するように、右縦枠２２Ｓに取り付けられたトリガー受け１０、及び、連動部材３に取り付けられたトリガー８等により構成される。
【００１７】
図１及び図２に示すように、ロック操作部材２は左右方向の支軸２Ａまわりに揺動し、この揺動に伴って連結片２Ｂが揺動し、連結片２Ｂに形成されたロック操作用長孔２Ｃに連動ピン１４が挿通されているため、前記揺動に連動して連動部材３が上下方向に移動する。
また、図１〜図３及び図６に示すように、トリガー受け１０は、トリガー８の上側に位置しており、右縦枠２２Ｓの左面に基体部１０Ａを沿わせた状態で、上下の取付ねじ１７，１７により右縦枠２２Ｓに取り付けられ、掛止ピン１１は、右縦框２３Ｓの右面に基体部１１Ａを沿わせた状態で、上下の長孔１１Ｂ，１１Ｂに取付ねじ１８，１８を挿通して右縦框２３Ｓに螺合することにより、右縦框２３Ｓに取り付けられる。
【００１８】
図４〜図６に示すように、上下方向に延びる略矩形板状の連動部材３の上端部を合成樹脂製の上ガイド体５の嵌合孔５Ａ内に嵌入し、取付ねじ１５を上ガイド体５の通孔５Ｂ及び連動部材３の通孔３Ｂ内に挿通して、連動部材３の裏側（右側）の図示しないナットに螺合することにより、連動部材３の上端部に上ガイド体５が取り付けられる。
また、連動部材３の下端部を合成樹脂製の下ガイド体６の嵌合孔６Ａ内に嵌入し、連動ピン１４の嵌合部１４Ａを下ガイド体６の通孔６Ｂを挿通して連動部材３の嵌合孔３Ｄに嵌入して軸端をかしめることにより、連動部材３の下端部には、左方に連動ピン１４が突出した状態で下ガイド体６が取り付けられる。
このようにして連動部材３に取り付けた上下のガイド体５，６が、図３及び図４に示す右縦枠２２Ｓに形成したガイド溝２０に係合するため、連動部材３は、ガイド溝２０にガイドされながら右縦枠２２Ｓに沿って上下方向に移動可能に支持される。
【００１９】
連動部材３の下ガイド体６の上側には、鈎状掛止片７の基体部７Ａに形成された上下の通孔７Ｂ，７Ｂ及び連動部材３の前後方向の長孔３Ａ，３Ａに取付ねじ１６，１６を挿通して、連動部材３の右側に位置して上下方向に延びる、略矩形状の裏板１２の上下の螺孔１２Ａ，１２Ａに螺合することにより、鈎状掛止片７が取り付けられる。
また、連動部材３の鈎状掛止片７の上側で上ガイド体５の下側には、基体部８Ａの上部後側から右方に突出した揺動規制片８Ｄを、連動部材３に形成された前後の内壁４Ｆ，４Ｂ及び上下の内壁に囲まれた扇状孔４内に挿入した状態で、段付シャフト１３をキックばね９のコイル内に挿通し、トリガー８の基体部８Ａに形成された嵌合孔８Ｅ及び連動部材３の嵌合孔３Ｃに嵌入して軸端をかしめることにより、トリガー８が左右方向軸まわりに揺動可能に取り付けられ、キックばね９を弾性変形させた状態で、キックばね９の一端末９Ａをトリガー８の当接部８Ｃの後面側に位置させ、キックばね９の他端末９Ｂを連動部材３後面に形成した掛止溝１９に掛止しているため、トリガー８は、左右方向軸（段付シャフト１３）まわりに左方から見て時計方向に弾性付勢されており、その揺動規制片８Ｄが扇状孔４の後壁４Ｂに圧接した状態で静止する。
【００２０】
この静止状態で、トリガー８の前側に位置する当止部８Ｂは、トリガー受け１０の受部１０Ｂに対向するように、トリガー受け１０の下側に位置している。
また、図１、図２及び図５に示すように、トリガー８の当止部８Ｂの下側には、障子２３を開状態から閉じる際に掛止ピン１１に当接する当接部８Ｃが形成されており、当接部８Ｃが掛止ピン１１により後方へ押圧されると、トリガー８は、前記弾性付勢力に抗して、左右方向軸（段付シャフト１３）まわりに左方から見て反時計方向に揺動するため、当止部８Ｂもトリガー受け１０の受部１０Ｂの下側から前方に揺動する。
【００２１】
次に、以上のように構成された窓用ロック装置１の動作について説明する。
図１（ａ）及び図５（ａ）に示す障子２３の開状態では、トリガー８の当止部８Ｂが、トリガー受け１０の受部１０Ｂに対向するようにトリガー受け１０の下側に位置しているため、この状態でロック操作部材２を下方に押し下げて施錠操作をしようとすると、連動部材３が上方に若干移動するが、トリガー８の当止部８Ｂがトリガー受け１０の受部１０Ｂにより当止されることから、これ以上の連動部材３の上方への移動が阻止されるため、ロック操作部材２を下方に押し下げて施錠することができない。
なお、このような障子２３の開状態では、揺動規制片８Ｄが扇状孔４の後壁４Ｂに当止されるためトリガー８の当止部８Ｂの後方への移動が規制されるとともに、トリガー受け１０下面の受部１０Ｂの前部に前下がり傾斜面が形成されているため、トリガー８の当止部８Ｂの前方への移動も規制される。
【００２２】
図１（ａ）及び図５（ａ）に示す障子２３の開状態から図中矢印Ａのように障子２３を閉じる方向に移動させると、図１（ｂ）に示すような掛止ピン１１がトリガー８の当接部８Ｃに当接した状態となる。
この状態から図１（ｂ）中の矢印Ｂのように障子２３を閉じる方向にさらに移動させると、図２（ａ）及び図５（ｂ）に示す障子２３の閉状態となり、掛止ピン１１によりトリガー８の当接部８Ｃが後方に押されてトリガー８が揺動し、当止部８Ｂが前方に移動しているため、この状態では図中矢印Ｃのようにロック操作部材２を下方に押し下げて施錠操作することができ、この施錠操作に連動して連動部材３とともに鈎状掛止片７が図中矢印Ｄのように上方へ移動する。
そして、ロック操作部材２を最下方まで押し下げた図２（ｂ）及び図５（ｃ）に示す状態で、掛止ピン１１の前側に鈎状掛止片７が位置して掛止ピン１１が掛止されるため、障子２３を窓枠２２に対して施錠した状態となる。
【００２３】
このように施錠が完了した状態では、図２（ｂ）に示す連結片２Ｂの略への字状のロック操作用長孔２Ｃの前端部に連動ピン１４が位置しており、連動ピン１４が固定された下ガイド体６が図３に示すガイド溝２０の前壁に押し付けられ、この押し付け力により下ガイド体６とガイド溝２０の前壁との間に摩擦力が生じるため、上下に昇降する連動部材３及びガイド体５，６並びに鈎状掛止片７及びトリガー８等の自重によりロック操作部材２が支軸２Ａまわりに解錠する方向（上方）へ揺動することがなく、ロック装置１により障子２３が窓枠２２に対して施錠された状態が保持される。
なお、ロック装置１による施錠状態を保持するための機構は、このような構成に限定されるものではなく、ロック操作部材２を適宜ばねにより付勢する構成等を採用してもよい。
【００２４】
図２（ｂ）及び図５（ｃ）に示す施錠が完了した状態から、図２（ｂ）中の矢印Ｅのようにロック操作部材２を上方に押し上げて解錠操作を行い、図２（ａ）及び図５（ｂ）に示す状態にすると、図示しないオペレーターにより障子２３を開くことができ、障子の開状態である図１（ａ）及び図５（ａ）では、キックばね９の弾性付勢力によりトリガー８が揺動して当止部８Ｂがトリガー受け１０の受部１０Ｂの下側へ移動し、当止部８Ｂが受部１０Ｂに対向する位置に復帰することから、前記のとおりロック操作部材２を下方に押し下げて施錠することができない状態となるため、ロック装置１の誤操作が防止される。
【００２５】
以上のような構成及び動作の窓用ロック装置１によれば、施錠のための鈎状掛止片７が取り付けられた連動部材３に誤操作防止手段を構成するトリガー８も取り付けられており、連動部材３と別体にトリガー８を取り付ける構成と比較して、トリガー８の取付部材が不要になるとともに施工の際におけるトリガー８の取り付け作業が不要になる。
また、右縦枠２２Ｓ（窓枠２２）に取り付けるトリガー受け１０の前後方向位置を調整することにより、トリガー８の掛かり具合（障子２３の開状態においてトリガー８がトリガー受け１０に当止される状態及び障子２３の閉状態においてトリガー８がトリガー受け１０に当止されない状態）の調整作業を室内側から容易かつ確実に行うことができる。
よって、部品点数の削減及び施工作業の容易化により、製造コスト及び施工作業コストを低減することができる。
【００２６】
また、連動部材３に前後方向の長孔３Ａ，３Ａを形成し、取付ねじ１６，１６を、鈎状掛止片７の基体部７Ａに形成した通孔７Ｂ，７Ｂ及び長孔３Ａ，３Ａに挿通し、連動部材３の右側に配設した裏板１２の螺孔１２Ａ，１２Ａに螺合させることにより、鈎状掛止片７を連動部材３に取り付けているため、上述のトリガー８の掛かり具合の調整作業と切り離した別の調整作業として、連動部材３の位置を変えずに、取付ねじ１６，１６の緊緩により鈎状掛止片７の室内外方向の位置を調整することができることから、施工の際における鈎状掛止片７と障子２３側の掛止ピン１１との掛かり具合の調整作業を室内側から容易かつ確実に行うことができる。
よって、施工作業の容易化により、さらに施工作業コストを低減することができる。
【００２７】
さらに、連動部材３の上下端に取り付けられたガイド体５，６を窓枠２２の右縦枠２２Ｓに形成したガイド溝２０に係合させることにより、連動部材３を右縦枠２２Ｓに沿って上下方向に移動可能に支持しているため、窓枠２２に形成したガイド溝２０が連動部材３を支持することから、連動部材３の上下方向への移動をガイドガイド部材が不要になるとともに施工の際における前記ガイド部材の取り付け作業が不要になる。
よって、部品点数の削減及び施工作業の容易化により、さらに製造コスト及び施工作業コストを低減することができる。
【００２８】
以上の説明においては、窓２１が縦すべり出し窓である場合について説明したが、窓２１は、横すべり出し窓、片開き窓又は突出し窓等であってもよく、窓２１が例えば横すべりだし窓である場合には、連動部材３を、窓枠２２の下枠に沿って左右方向に移動可能に支持し、ロック操作部材２及び連結片２Ｂを上下方向の支軸まわりに揺動するように下枠に取り付け、掛止ピン１１を障子２３の戸先框である下框に取り付け、トリガー受け１０を、連動部材３に取り付けられた鈎状掛止片７に対して、ロック操作部材２の施錠方向の操作に伴って連動部材３が移動する方向（例えば右方）に位置するように下枠に取り付け、トリガー８を、左右方向で鈎状掛止片７とトリガー受け１０との間に位置するように（例えば鈎状掛止片７の右側でトリガー受け１０の左側に）、連動部材３に取り付ければよい。
【図面の簡単な説明】
【００２９】
【図１】本発明の実施の形態に係る窓用ロック装置の構成を示す正面図であり、（ａ）は障子の開状態を、（ｂ）は掛止ピンがトリガーの当接部に当接した状態を示している。
【図２】同じく正面図であり、（ａ）は掛止ピンにより当接部が押圧されてトリガーが揺動した状態を、（ｂ）は障子の閉状態を示している。
【図３】同じく横断平面図である。
【図４】連動部材及び連動部材に取り付けられた部材の正面図である。
【図５】斜視図であり、（ａ）は障子の開状態を、（ｂ）は掛止ピンにより当接部が押圧されてトリガーが揺動した状態を、（ｃ）は障子の閉状態を示している。
【図６】分解斜視図である。
【符号の説明】
【００３０】
１  ロック装置
２  ロック操作部材
３  連動部材
３Ａ  長孔
５，６  ガイド体
７  鈎状掛止片
７Ａ  基体部
７Ｂ  通孔
８  トリガー
８Ａ  基体部
８Ｂ  当止部
８Ｃ  当接部
９  キックばね
９Ａ，９Ｂ  端末
１０  トリガー受け
１０Ｂ  受部
１１  掛止ピン
１２  裏板
１２Ａ  螺孔
１３  段付シャフト
１４  連動ピン
１５，１６，１７，１８  取付ねじ
２０  ガイド溝
２１  窓
２２  窓枠
２２Ｓ  縦枠
２３  障子
２３Ｓ  縦框
【図１】
0005141372.tif 000002
【図２】
0005141372.tif 000003
【図３】
0005141372.tif 000004
【図４】
0005141372.tif 000005
【図５】
0005141372.tif 000006
【図６】
0005141372.tif 000007